(57)【要約】【課題】製造が容易で好適に脇下部分を空気の流路として効果的に冷却することができるファン付きベスト及びファン付きベスト用のベスト本体を提供する。【解決手段】上半身を覆うベスト本体１０と、ベスト本体１０と身体との間に空気を流通させるためのファン５０と、を備えるファン付きベスト１００であって、ベスト本体１０は、着用者の胴を覆う胴体部１と、着用者の腕を通す一対の袖ぐり部１５と、一端が袖ぐり部１５の脇下部分の前側に固定され、他端が袖ぐり部１５の脇下部分の後側に固定されて、袖ぐり部１５により形成される開口部を上側の第１開口部１５ａと下側の第２開口部１５ｂとに２分割する調整部材１６と、を備え、第１開口部１５ａに腕を通した状態でファン５０を稼働させた際、少なくとも第２開口部１５ｂから空気が外部に流通する。【選択図】図２
0003234982.tif 000002
【実用新案登録請求の範囲】
【請求項１】
着用者の身体のうち少なくとも上半身を覆うベスト本体と、
前記ベスト本体と身体又は下着との間の空間に空気を流通させるためのファンと、を備えるファン付きベストであって、
前記ベスト本体は、前記着用者の胴を覆う胴体部と、前記着用者の腕を通す一対の袖ぐり部と、
一端が前記袖ぐり部の脇下部分の前側に固定され、他端が前記袖ぐり部の脇下部分の後側に固定されることで、前記袖ぐり部により形成される開口部を上側の第１開口部と下側の第２開口部とに２分割する調整部材と、を備え、
前記第１開口部に前記腕を通した状態で前記ファンを稼働させた際、少なくとも前記第２開口部から空気が外部に流通することを特徴とするファン付きベスト。
【請求項２】
前記調整部材は、帯状の弾性体であることを特徴とする請求項１に記載のファン付きベスト。
【請求項３】
前記調整部材の伸長度を調整可能な伸長度調整手段を備えることを特徴とする請求項２に記載のファン付きベスト。
【請求項４】
前記袖ぐり部のうち、前記第１開口部と隣接する少なくとも一部は、弾性体からなることを特徴とする請求項１に記載のファン付きベスト。
【請求項５】
ファン付きベスト用のベスト本体であって、
着用者の胴を覆う胴体部と、
前記胴体部に設けられ、ファンを取り付ける取付孔を有する取付部と、
前記着用者の腕を通す一対の袖ぐり部と、
一端が前記袖ぐり部の脇下部分の前側に固定され、他端が前記袖ぐり部の脇下部分の後側に固定されることで、前記袖ぐり部により形成される開口部を上側の第１開口部と下側の第２開口部とに２分割する調整部材と、を備えるファン付きベスト用のベスト本体。
【請求項６】
前記調整部材は、帯状の弾性体であることを特徴とする請求項５に記載のファン付きベスト用のベスト本体。
【請求項７】
前記調整部材の伸長度を調整可能な伸長度調整手段を備えることを特徴とする請求項６に記載のファン付きベスト用のベスト本体。
【請求項８】
前記袖ぐり部のうち、前記第１開口部と隣接する少なくとも一部は、弾性体からなることを特徴とする請求項５に記載のファン付きベスト用のベスト本体。
【考案の詳細な説明】
【技術分野】
【０００１】
本考案は、ファン付きベスト及びファン付きベスト用のベスト本体に関する。
【背景技術】
【０００２】
近年、ベスト状のウェアにファンを取り付け、ファンが取り込んだ空気を身体又は下着の表面と略平行に流通させることにより、身体から出た汗を蒸発させて、身体を冷却するファン付きベストが実用化されている。
【０００３】
このようなファン付きベストにおいては、袖ぐりの全周を伸縮可能な部材によって構成して身体又は下着に密着させた上で、脇下部分に衣服内の空気を排気する排気口を設けるもの（特許文献１参照）が知られている。
【０００４】
特許文献１の発明においては、袖部に近接する脇下部分は血管が皮膚表面に近いため、脇下部分を空気の流路として効果的に冷却するとともに、好適に身体を冷却することができる。
【先行技術文献】
【特許文献】
【０００５】
【特許文献１】特開２０２０−１４７８９１号公報
【考案の概要】
【考案が解決しようとする課題】
【０００６】
しかしながら、特許文献１の発明では、排気口のみをメッシュ素材などの通気性を有する素材で構成する必要があり、製造に手間がかかるという課題を有する。
【０００７】
本考案の目的は、上記課題を解決するために、製造が容易で脇下部分を空気の流路として効果的に冷却することができるファン付きベスト及びファン付きベスト用のベスト本体を提供することである。
【課題を解決するための手段】
【０００８】
請求項１に記載の考案は、
着用者の身体のうち少なくとも上半身を覆うベスト本体と、
前記ベスト本体と身体又は下着との間の空間に空気を流通させるためのファンと、を備えるファン付きベストであって、
前記ベスト本体は、前記着用者の胴を覆う胴体部と、前記着用者の腕を通す一対の袖ぐり部と、
一端が前記袖ぐり部の脇下部分の前側に固定され、他端が前記袖ぐり部の脇下部分の後側に固定されることで、前記袖ぐり部により形成される開口部を上側の第１開口部と下側の第２開口部とに２分割する調整部材と、を備え、
前記第１開口部に前記腕を通した状態で前記ファンを稼働させた際、少なくとも前記第２開口部から空気が外部に流通することを特徴とする。
【０００９】
請求項２に記載の考案は、請求項１に記載のファン付きベストであって、
前記調整部材は、帯状の弾性体であることを特徴とする。
【００１０】
請求項３に記載の考案は、請求項２に記載のファン付きベストであって、
前記調整部材の伸長度を調整可能な伸長度調整手段を備えることを特徴とする。
【００１１】
請求項４に記載の考案は、請求項１に記載のファン付きベストであって、
前記袖ぐり部のうち、前記第１開口部と隣接する少なくとも一部は、弾性体からなることを特徴とする。
【００１２】
請求項５に記載の考案は、ファン付きベスト用のベスト本体であって、
着用者の胴を覆う胴体部と、
前記胴体部に設けられ、ファンを取り付ける取付孔を有する取付部と、
前記着用者の腕を通す一対の袖ぐり部と、
一端が前記袖ぐり部の脇下部分の前側に固定され、他端が前記袖ぐり部の脇下部分の後側に固定されることで、前記袖ぐり部により形成される開口部を上側の第１開口部と下側の第２開口部とに２分割する調整部材と、を備えることを特徴とする。
【００１３】
請求項６に記載の考案は、請求項５に記載のファン付きベスト用のベスト本体であって、
前記調整部材は、帯状の弾性体であることを特徴とする。
【００１４】
請求項７に記載の考案は、請求項６に記載のファン付きベスト用のベスト本体であって、
前記調整部材の伸長度を調整可能な伸長度調整手段を備えることを特徴とする。
【００１５】
請求項８に記載の考案は、請求項５に記載のファン付きベスト用のベスト本体であって、
前記袖ぐり部のうち、前記第１開口部と隣接する少なくとも一部は、弾性体からなることを特徴とする。
【考案の効果】
【００１６】
本考案によれば、製造が容易で好適に身体を冷却することができるファン付きベスト及びファン付きベスト用のベスト本体を提供することができる。
【図面の簡単な説明】
【００１７】
【図１Ａ】本実施形態のファン付きベストを示す正面図である。
【図１Ｂ】本実施形態のファン付きベストを示す背面図である。
【図２】本実施形態のファン付きベストの袖ぐり部近傍を示す斜視図である。
【図３】伸長度調整手段として面ファスナーが設けられた場合の調整部材を示す斜視図である。
【考案を実施するための形態】
【００１８】
以下、図面を参照して、本考案に係るファン付きベスト及びファン付きベスト用のベスト本体の実施形態について詳細に説明する。ただし、本考案の技術的範囲は図示例に限定されるものではない。
なお、以下においては、着用者がファン付きベスト１００を着用した状態を基準として、着用者の前側を前、着用者の後側を後、着用者の上側を上、着用者の下側を下、着用者の右手側を右、着用者の左手側を左と定めて説明する。
【００１９】
［全体構成］
本実施形態のファン付きベスト１００は、例えば、図１Ａ及び図１Ｂに示すように、着用者の身体のうち少なくとも上半身を覆うベスト本体１０と、ベスト本体１０と身体又は下着との間の空間に空気を流通させるためのファン５０等を備えて構成されている。
【００２０】
（ベスト本体）
ベスト本体１０は、通気性の小さな又は通気性の無いシート状部材で、着用者の上半身を覆うような形状に形成されている。
具体的には、このベスト本体１０は、着用者の胴を覆う胴体部１と、着用者の腕を通す一対の袖ぐり部１５と、着用者の頭部を覆うフード部２０と、を有している。
【００２１】
｛胴体部｝
ベスト本体１０（胴体部１）の裾部１１には、例えばゴム等の伸縮性のある弾性体が取り付けられている。これにより、ベスト本体１０の裾部１１は絞り込まれて着用者の身体に密着するようになる。
【００２２】
また、ファン付きベスト１００は前開きタイプであり、ベスト本体１０（胴体部１）の前身頃は線ファスナーによって開閉されるようになっている。なお、図１Ａにおいては、当該線ファスナーは比翼１２によって隠された態様を図示している。
【００２３】
胴体部１の後ろ身頃の上部には、ファン５０を取り付けるための取付部１８が左右に対を成して設けられている。
取付部１８は、ファン５０の外形に沿う形状の取付孔（図示略）を有しており、取付部１８に取り付けられたファン５０は、当該取付孔から外部の空気をベスト本体１０の内側に取り込むようになっている。
【００２４】
｛袖ぐり部｝
図２に示すように、一対の袖ぐり部１５には、当該袖ぐり部１５によって形成される着用者の腕を通す開口部を、上下に２分割する一対の調整部材１６が設けられている。
調整部材１６は、例えばゴム等の、所定の伸縮性を有する帯状の弾性体であって、その両端部は袖ぐり部１５の脇下部分の前側と後側にそれぞれ固定されている。そのため、袖ぐり部１５によって形成される開口部は、ファン付きベスト１００の着用時に腕を通す上側の第１開口部１５ａと、ファン５０が取り込んだ空気の排気口となる下側の第２開口部１５ｂとに２分割される。
また、図２に示すように、調整部材１６の長さは、第２開口部１５ｂを形成する、袖ぐり部１５の下側に沿った長さよりも短い。そのため、着用者が第１開口部１５ａに腕を通すと、袖ぐり部１５のうち、第１開口部１５ａを形成する上側は絞られて、第２開口部１５ｂを形成する下側は撓むようになる。なお、本例において、調整部材１６は、所定の伸縮性を有するものとして説明するが、例えば、伸縮性や弾性を有さないテープや生地を帯状にしたものであっても良い。
【００２５】
｛フード部｝
図１Ａ及び図１Ｂに戻って、フード部２０は、胴体部１の首周りに設けられる。
フード部２０は、ファン５０によってベスト本体１０内に送り込まれて流通した空気を排出する開口部として機能する。
なお、本実施形態において、フード部２０は必須の構成ではなく、必要に応じて設ければ良い構成であるが、本実施形態のファン付きベスト１００においてはフード部２０を有するものとして説明する。
【００２６】
（ファン）
ファン５０は、空気を外部から取り込むことによりベスト本体１０と身体又は下着との間に空気流通路を形成し、当該空気流通路内に空気の流れを強制的に生じさせる構成である。２つのファン５０、５０は、ベスト本体１０の後ろ身頃の上部に左右に対を成して取り付けられる。具体的には、ファン５０は、胴体部１の背面側であって、本例の場合、一対の袖ぐり部１５の間に位置するように配設されるが、ファン５０の配置はこれに限定されるものではない。
【００２７】
換言すると、本例の場合、ファン５０は、ベスト本体１０のアームホールの最下点よりも上に位置する箇所であって、ファン付きベスト１００の着用時に着用者の脇下部分よりも上に位置する箇所に配設される。
このように、ファン５０を袖ぐり部１５に近い位置に配設すると、首元や袖ぐり部１５側へ空気を送り込みやすくなっており、好適に身体を冷却することができる。
【００２８】
特に、ファン５０を、ベスト本体１０（胴体部１）の後ろ身頃の上部に配設することで、ファン５０によってベスト本体１０内に取り込んだ空気を首元や両方の袖ぐり部１５に行き渡らせやすくなっている。
具体的には、ベスト本体１０の後ろ身頃の上部に配設されているファン５０によってベスト本体１０内に空気が取り込まれると、当該空気は袖ぐり部１５側へ送り込まれるとともに、フード部２０側（首元側）やベスト本体１０の裾部１１側へ送り込まれて、ベスト本体１０内の全体に行き渡るようになる。
【００２９】
なお、ファン５０としては、プロペラを有するファン装置を用いており、ファン５０に電力を供給するための電源手段（不図示）は、例えば、ベスト本体１０の内ポケット（不図示）に収納される。
電源手段は、例えばバッテリーを内蔵した電源装置であり、電源手段と２つのファン５０、５０とは電源ケーブルにより電気的に接続される。
【００３０】
＜弛み部＞
また、図１Ｂに示すように、ファン付きベスト１００のベスト本体１０の背面側中央には、胴体部１からフード部２０にわたる部分に、ベスト本体１０の生地に弛みを持たせるように形成された弛み部１３が設けられる。
弛み部１３は、縦方向（上下方向）に延在するようにベスト本体１０に設けられた一対の襠部１３ａの間に立体的に形成される。
【００３１】
そして、ファン５０によって外部の空気がベスト本体１０内に取り込まれると、襠部１３ａは、当該取り込まれた空気によって弛み部１３をベスト本体１０の外側に膨らませて、ベスト本体１０と身体あるいは下着との間に空間を形成する。この空間は、胴体部１からフード部２０への空気流通路になる。
【００３２】
＜サイド襠部＞
また、図１Ｂに示すように、このファン付きベスト１００のベスト本体１０（胴体部１）の背面側の両サイドには、上下方向（縦方向）に延在するようにサイド襠部１４が設けられている。
サイド襠部１４は、胴体部１の背面側であって、袖ぐり部１５とファン５０の取り付け箇所の間に設けられており、当該箇所の厚み方向の寸法を調整可能にしている。
【００３３】
そして、ファン５０によって外部の空気がベスト本体１０内に取り込まれると、当該取り込まれた空気により、ファン５０の取り付け箇所辺りを外側に膨らませ、ファン５０が着用者の身体から離れやすくなる。そのため、ファン５０による圧迫感が低減して、ファン付きベスト１００の着用感が向上する。
【００３４】
［考案の効果］
このようなファン付きベスト１００を着用してファン５０を稼働させた場合、ファン５０によってベスト本体１０内に取り込まれた空気は、袖ぐり部１５の下側と調整部材１６との間に形成された第２開口部１５ｂから排出されるように流通し、好適に脇下部分を冷却することができる。
【００３５】
具体的には、ファン付きベスト１００を着用する際に、着用者がその腕を第１開口部１５ａに通すと、第１開口部１５ａを形成する袖ぐり部１５の上側と調整部材１６とが腕に密着する。一方で、第２開口部１５ｂを形成する袖ぐり部１５の下側は、下方に撓み、ファン５０が取り込んだ空気は、第２開口部１５ｂから外部へ排出される。なお、第１開口部１５ａを形成する袖ぐり部１５の上側と調整部材１６とが必ずしも腕に密着する必要はない。
【００３６】
このとき、第２開口部１５ｂは脇下部分の近傍であるから、第２開口部１５ｂから外部へ排出される空気は、その途中で脇下部分を通過する。
脇下部分は身体の蒸れやすい箇所であるため、脇下部分に向けて空気を流通させることで蒸れた空気を排出させやすくなる。また、脇下部分には太い静脈が通っており、血管が皮膚表面に近いため、脇下部分を効率的に冷やすことで、好適に身体を冷却することができる。
【００３７】
また、本実施形態に係るファン付きベスト１００は、調整部材１６の両端部を袖ぐり部１５の所定の箇所に取り付けるだけで良いため、容易に製造することができる。
【００３８】
［その他の構成］
なお、本考案は上記実施形態に限られるものではない。
具体的には、調整部材１６が伸縮性を有する場合は、図３に示すような着脱自在な面ファスナーや、アジャスター、コードストッパあるいは複数のボタンとボタン孔等の、調整部材１６の伸長度を調整可能な伸長度調整手段１７を設けてもよい。
【００３９】
当該伸長度調整手段１７によって調整部材１６の伸長度を高めて袖ぐり部１５の絞りを強め、着用者の腕と第１開口部１５ａを形成する袖ぐり部１５の上側との密着度を高めることで、脇下部分をより重点的に冷却することができる。
また、脇下部分を長時間にわたって冷却し続けた場合には、かえって身体を冷やしすぎてしまうおそれがあるが、このような場合には、伸長度調整手段１７によって袖ぐり部１５の上側との密着度を低くすることで、着用者の腕と身体を冷やしすぎてしまうのを防ぐことができる。
【００４０】
また、調整部材１６は、帯状の弾性体であり、両端が袖ぐり部１５に固定されているものとしたが、これに限られず、環状の弾性体として、袖ぐり部１５のうち、第１開口部１５ａを形成する箇所を通すように設けてもよい。
このようにすると、着用者の腕と袖ぐり部１５のうち上側との密着度を高めることができ、より脇下部分の冷却効率を高めることができるようになる。ただし、着用者の腕と袖ぐり部１５のうち上側とを必ずしも密着させる必要はない。
【００４１】
また、上記においては、調整部材１６が弾性体である場合を例示したが、第１開口部１５ａと隣接する部分である、袖ぐり部１５の上側と調整部材１６のうち、少なくとも一部が弾性体によって構成されていれば、着用者が第１開口部１５ａに腕を通した際に、第１開口部１５ａが絞られるのに対して第２開口部１５ｂが撓むこととなり、第２開口部１５ｂを空気の排気口とすることができる。
そのため、調整部材１６ではなく、袖ぐり部１５のうち、第１開口部１５ａと隣接する上側部分のみを弾性体により構成するようにしても構わない。
【００４２】
また、上記実施形態においては、ベスト本体１０（胴体部１）の後ろ身頃の上部にファン５０を配設するものとしたが、後ろ身頃の下部にファン５０を配設してもよい。また、サイド襠部１４は必要に応じて設ければ良い。
【００４３】
その他、具体的な細部構造等についても適宜に変更可能であることは勿論である。
【符号の説明】
【００４４】
１      胴体部
１０    ベスト本体
１５    袖ぐり部
１５ａ  第１開口部
１５ｂ  第２開口部
１６    調整部材
１７    伸長度調整手段
１８    取付部
５０    ファン
１００  ファン付きベスト
【図１Ａ】
0003234982.tif 000003
【図１Ｂ】
0003234982.tif 000004
【図２】
0003234982.tif 000005
【図３】
0003234982.tif 000006